(57)【要約】【課題】社員の履歴情報と組織図上の人員との関連を視覚的に示すこと。【解決手段】情報処理装置（１）は、人物毎に、当該人物に関する識別情報と、当該人物の履歴情報と、当該人物が所属する組織の組織図を含む組織情報とを対応付けて記憶する記憶部（１５）を備え、ＣＰＵ１１は、対象となる対象人物の履歴情報を時系列で示す履歴タイムライン表示と、対象人物が所属する組織を示す組織図とを表示し、履歴情報には、各履歴項目に関連する他の人物の前記識別情報が含まれ、ＣＰＵ１１は、履歴情報に含まれる識別情報に基づいて、履歴タイムライン表示上の履歴項目と、当該履歴項目に関連する組織図上の人物とを関連付けて表示する。【選択図】図１
2014119855.tif 000002
【特許請求の範囲】
【請求項１】
人物毎に、当該人物に関する識別情報と、当該人物の履歴情報と、当該人物が所属する組織の組織図を含む組織情報とを対応付けて記憶する記憶手段と、
対象となる対象人物の履歴情報を時系列で示す履歴タイムライン表示と、前記対象人物が所属する組織を示す組織図とを表示する表示制御手段と、を備え、
前記履歴情報には、各履歴項目に関連する他の人物の前記識別情報が含まれ、
前記表示制御手段は、前記履歴情報に含まれる前記識別情報に基づいて、履歴タイムライン表示上の履歴項目と、当該履歴項目に関連する組織図上の人物とを関連付けて表示することを特徴とする情報処理装置。
【請求項２】
前記表示制御手段は、履歴タイムライン表示における所定期間の表示態様を他の期間の表示態様と異ならせるとともに、その所定期間における履歴タイムライン表示上の履歴項目と、当該履歴項目に関連する組織図上の人物とを関連付けて表示することを特徴とする請求項１に記載の情報処理装置。
【請求項３】
前記表示制御手段は、前記所定期間の切替操作に応じて、履歴タイムライン表示上の履歴項目と、その履歴項目に関連する組織図上の人物との関連付けを切り替えることを特徴とする請求項２に記載の情報処理装置。
【請求項４】
前記表示制御手段は、履歴タイムライン表示における指定された履歴項目を履歴タイムライン表示上で他の部分と異なる態様で表示させるとともに、前記指定された履歴項目と、当該履歴項目に関連する組織図上の人物とを関連付けて表示することを特徴とする請求項１に記載の情報処理装置。
【請求項５】
前記表示制御手段は、前記履歴項目と前記履歴項目に関連する組織図上の人物とに共通する識別子を付加して表示することで前記関連付けを行うことを特徴とする請求項２〜４の何れか一項に記載の情報処理装置。
【請求項６】
前記表示制御手段は、前記履歴項目と前記履歴項目に関連する組織図上の人物とを線で結ぶことで前記関連付けを行うことを特徴とする請求項２〜４の何れか一項に記載の情報処理装置。
【請求項７】
前記対象人物を選択する人材選択手段を備えることを特徴とする請求項１〜６の何れか一項記載の情報処理装置。
【請求項８】
人物毎に、当該人物に関する識別情報と、当該人物の各履歴項目に関連する他の人物の前記識別情報を含む履歴情報と、当該人物が所属する組織の組織図を含む組織情報とを記憶する記憶手段を備えた情報処理装置のコンピュータを、
対象となる対象人物の履歴情報を時系列で示す履歴タイムライン表示と、対象人物が所属する組織を示す組織図とを表示するとともに、前記履歴情報に含まれる前記識別情報に基づいて、履歴タイムライン表示上の履歴項目と、当該履歴項目に関連する組織図上の人物とを関連付けて表示する表示制御手段、
として機能させるためのプログラム。
【発明の詳細な説明】
【技術分野】
【０００１】
本発明は、情報処理装置及びプログラムに関する。
【背景技術】
【０００２】
従来、人物の経歴を年表の形式で表示する技術が存在する。例えば、特許文献１には、入力された履歴書情報をもとに、就学歴や資格歴、就職歴、職務歴、社外活動歴を年表の形式で表示する方式が開示されている。また、従来、組織の体系を階層図を用いて表示する技術が存在する。例えば、特許文献２には、所属情報を元に組織の階層図および人員構成を表示する方式が開示されている。
【先行技術文献】
【特許文献】
【０００３】
【特許文献１】特開２００４−２５２５８６号公報
【特許文献２】特開平０７−０２８９７１号公報
【発明の概要】
【発明が解決しようとする課題】
【０００４】
しかしながら、従来の技術は、就学歴や資格歴、就職歴、職務歴、社外活動歴などの情報を元に、人物の経歴を単純な年表で表現したに過ぎなかった。このため、例えば社員の経歴、職歴、資格歴、プロジェクト歴、異動歴、所属歴など履歴情報と連動して、組織図上の人や組織との関連を視覚的に示すことができなかった。
【０００５】
本発明の課題は、社員の履歴情報と組織図上の人員との関連を視覚的に示すことである。
【課題を解決するための手段】
【０００６】
本発明の情報処理装置は、
人物毎に、当該人物に関する識別情報と、当該人物の履歴情報と、当該人物が所属する組織の組織図を含む組織情報とを対応付けて記憶する記憶手段と、
対象となる対象人物の履歴情報を時系列で示す履歴タイムライン表示と、前記対象人物が所属する組織を示す組織図とを表示する表示制御手段と、を備え、
前記履歴情報には、各履歴項目に関連する他の人物の前記識別情報が含まれ、
前記表示制御手段は、前記履歴情報に含まれる前記識別情報に基づいて、履歴タイムライン表示上の履歴項目と、当該履歴項目に関連する組織図上の人物とを関連付けて表示することを特徴とする。
【発明の効果】
【０００７】
本発明によれば、社員の履歴情報と組織図上の人員との関連を視覚的に示すことができる。
【図面の簡単な説明】
【０００８】
【図１】本発明の実施形態に係る人材情報処理装置１の機能構成を示すブロック図である。
【図２】社員情報ＴＢＬのデータ格納例を示す図である。
【図３】社員履歴ＴＢＬのデータ格納例を示す図である。
【図４】組織情報ＴＢＬのデータ格納例を示す図である。
【図５】顔写真データ部のデータ格納例を示す図である。
【図６】アイコンデータ部のデータ格納例を示す図である。
【図７】人材情報処理装置において実行される人材情報表示処理を示すフローチャートである。
【図８】社員選択画面の一例を示す図である。
【図９】社員情報照会画面の一例を示す図である。
【図１０】社員情報照会画面における視認化の他の例を示す図である。
【図１１】社員情報照会画面における視認化の他の例を示す図である。
【図１２】図９の社員情報照会画面中の組織図の作図を説明するための図である。
【図１３】２０１０年への年表示切替操作が行われた場合の社員情報照会画面の表示例を示す図である。
【図１４】図１３の社員情報照会画面中の組織図の作図を説明するための図である。
【発明を実施するための形態】
【０００９】
以下、本発明の実施の形態を図面に基づいて説明する。
【００１０】
先ず、図１を参照して本実施形態の装置構成を説明する。図１は、本発明の実施形態に係る人材情報処理装置１の機能構成を示すブロック図である。
【００１１】
図１に示すように、人材情報処理装置１０は、機器の全体的な制御を行うＣＰＵ（Central Processing Unit）１１と、複数の操作キーを有する入力部１２と、ＣＰＵ１１に作業用のメモリ空間を提供するＲＡＭ（Random Access Memory）１３と、表示部１４と、ＣＰＵ２１が実行する制御プログラムや制御データを格納した記憶部１５と、通信部１６とを備える。ＣＰＵ１１、入力部１２、ＲＡＭ１３、表示部１４、記憶部１５、通信部１６は、バス１７を介して接続されている。
【００１２】
ＣＰＵ１１は、記憶部１５に記憶されているシステムプログラムを読み出し、ＲＡＭ１３のワークエリアに展開し、該システムプログラムに従って各部を制御する。また、ＣＰＵ１１は、記憶部１５に記憶されている処理プログラム１５１を読み出してワークエリアに展開し、後述する人材情報表示処理を実行することで人材選択手段、表示制御手段として機能する。
【００１３】
入力部１２は、カーソルキー、文字、数字入力キー及び各種機能キーなどを備えたキーボードを含む構成とし、操作者による各キーの押下入力を受け付けてその操作情報をＣＰＵ１１に出力する。また、入力部１２は、マウス等のポインティングデバイスを含み、位置入力を受け付けて操作情報としてＣＰＵ１１に出力する。
【００１４】
ＲＡＭ１３は、揮発性のメモリである。また、ＲＡＭ１３は、実行される各種プログラムやこれら各種プログラムに係るデータ等を格納するワークエリアを有する。
【００１５】
表示部１４は、ＬＣＤ（Liquid Crystal Display）等で構成され、ＣＰＵ１１から入力される表示情報に応じて各種表示を行う。
【００１６】
記憶部１５は、磁気記録媒体を有するＨＤＤ（Hard Disk Drive）、不揮発性の半導体
メモリ等により構成される。記憶部１５には、図２に示すように、プログラム記憶部１５０、人材情報データベース１５１が設けられている。
【００１７】
プログラム記憶部１５０には、ＣＰＵ１１で実行されるシステムプログラムや処理プログラム１５１、これらのプログラムの実行に必要なデータ等が記憶されている。処理プログラム１５１には、後述する人材情報表示処理を始めとする各種処理を実行するためのプログラムが含まれる。
これらのプログラムは、コンピュータ読み取り可能なプログラムコードの形態でプログラム記憶部１５に格納されている。ＣＰＵ１１は、当該プログラムコードに従った動作を逐次実行する。
【００１８】
また、記憶部１５には、人材情報データベース３０が記憶されている。人材情報データベース３０は、図１に示すように、社員情報ＴＢＬ（Table）４０、社員履歴ＴＢＬ６０、組織情報ＴＢＬ８０、顔写真データ部９０、アイコンデータ部１００を備えて構成されている。
【００１９】
社員情報ＴＢＬ４０は、社員毎にその社員の人材情報が格納されたテーブルである。
図２に、社員情報ＴＢＬ４０のデータ格納例を示す。図２に示すように、社員情報ＴＢＬ４０には、社員番号４１と、氏名４２と、年齢４３と、性別４４と、所属コード４５と、所属名称４６と、資格４７と、役職４８と、職種４９と、事業所５０と、顔写真データ名５１と、データ基準年５２の項目が設けられており、データ基準年で示された年毎に各社員の情報が１レコードとして格納されている。なお、本実施形態では、社員（人物）を特定する情報として社員番号、氏名、年齢、性別の例で説明するが、その他の個人識別情報等であっても良く、これらを識別情報と称する。
【００２０】
社員履歴ＴＢＬ６０は、社員の履歴に関する情報が格納されたテーブルである。
図３に、社員履歴ＴＢＬ６０のデータ格納例を示す。図３に示すように、社員履歴ＴＢＬ６０には、社員番号６１と、氏名６２と、種別６３と、履歴名称６４と、色６５と、アイコンデータ名６６と、開始年月日６７と、終了年月日６８と、メンバ１氏名６９と、メンバ２氏名７０と、メンバ３氏名７１と、メンバ４氏名７２と、メンバ５氏名７３との項目が設けられている。メンバ１氏名６９、メンバ２氏名７０、メンバ３氏名７１、メンバ４氏名７２、メンバ５氏名７３は、該当するプロジェクトまたは該当する研修に共に参加したメンバの氏名である。これらのメンバ１氏名〜メンバ５氏名を履歴情報の履歴項目に関連して記憶された人材情報という。
【００２１】
組織情報ＴＢＬ８０は、後述する組織情報表示部１４２ｃの欄に組織図を表示するための情報が格納されたテーブルである。
図４に、組織情報ＴＢＬ８０のデータ格納例を示す。図４に示すように、組織情報ＴＢＬ８０には、組織コード８１と、所属名称８２と、階層８３と、作図座標（開始）８４と、作図座標（終了）８５と、人員表記座標（開始）８６と、人員表記座標（終了）８７と、データ基準年８８と、構成人員８９との項目が設けられている。階層とは組織図の階層であり、事業統括部が「１」であるので、最上位であることを示す。営業部、開発部、設計部は、階層が「２」であるので、事業統括部の下の階層に表示される。作図座標（開始）とは所属名称を表示する開始座標であり、作図座標（終了）とは所属名称を表示する終了座標である。人員表記座標（開始）とは、それらの所属に属する構成人員の名前を表示する開始の座標であり、人員表記座標（終了）とは、それらの所属に属する構成人員の名前を表示する終了の座標である。データ基準年とは、その年にその組織があることを示す。
【００２２】
顔写真データ部９０は、社員情報ＴＢＬ４０の顔写真データ名に対応する顔写真データが格納されている部分である。
図５は、顔写真データ部９０のデータ格納例を示す。
【００２３】
アイコンデータ部１００は、社員履歴ＴＢＬ６０のアイコンデータ名に対応するアイコンデータが格納されている部分である。
図６に、アイコンデータ部１００のデータ格納例を示す。
【００２４】
図１に戻り、通信部１６は、モデム、ルータ、ネットワークカード等により構成され、通信ネットワークＮに接続されて、通信ネットワークＮ上のクライアント端末２０との通信を行う。通信ネットワークＮは、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００２５】
次に、本実施形態の動作について説明する。
図７に、人材情報処理装置１において実行される人材情報表示処理のフローチャートを示す。人材情報表示処理は、入力部１２から処理開始の指示が入力された際にＣＰＵ１１と記憶部１５に記憶されている処理プログラム１５１との協働により実行される。
【００２６】
まず、ＣＰＵ１１は、社員情報ＴＢＬ４０を取得し（ステップＳ１）、社員選択画面１３１を表示部１４に表示する（ステップＳ２）。
図８に、ステップＳ１において表示部１４に表示される社員選択画面１４１の一例を示す。社員選択画面１４１は、人材情報を閲覧したい対象人物を選択するための画面である。図８に示すように、社員選択画面１４１には、人材選択入力欄１４１ａと、実行ボタン１４１ｂとが表示される。
人材選択入力欄１４１ａは人材情報を閲覧したい対象人物を例えば、社員番号や氏名等から選択して入力する欄である。ここで、ＲＡＭ１３のワークエリアに読み込まれた社員情報ＴＢＬ４０の社員番号１２３１及び氏名１２３２が人材選択欄１４１ａに表示される。
【００２７】
次に、社員選択画面１４１の人材選択入力欄１４１ａより、入力部１２を介して対象人物の選択入力が受け付けられる（ステップＳ２）。次に、実行ボタン１４１ｂが押下されることにより選択入力が確定する（ステップＳ３）。
ここで、ステップＳ１からステップＳ４までが人材情報表示処理の中の、社員選択処理である。
【００２８】
次に、社員情報照会画面表示処理が実行される。社員情報照会画面表示処理は、以下のステップＳ５からステップＳ１０で構成され、社員情報照会画面表示処理の結果、図９に示す社員情報照会画面１４２が表示される。
図９に、表示部１４に表示される社員情報照会画面１４２の一例を示す。社員情報照会画面１４２は、基本情報表示部１４２ａと、履歴情報表示部１４２ｂと、組織情報表示部１４２ｃと、終了ボタン１４２ｄとを備える。ここで、基本情報とは、後述の通り、識別情報を含む社員情報のことである。
【００２９】
ＣＰＵ１１は、記憶部１５に記憶されている社員情報ＴＢＬ４０から選択された対象人物の社員情報を取得し（ステップＳ５）。取得された社員情報を基本情報表示部１４２ａに表示する（ステップＳ６）。
【００３０】
次に、ＣＰＵ１１は、社員履歴ＴＢＬ６０より、選択された対象人物の履歴情報を取得し（ステップＳ７）、取得された履歴情報を履歴情報表示部１４２ｂに表示する（ステップＳ８）。
次に、ＣＰＵ１１は、組織情報ＴＢＬ８０より、選択された対象人物の組織情報を取得し（ステップＳ７）、取得された組織情報を組織情報表示部１４２ｃに表示する（ステップＳ１０）。
【００３１】
図９において、基本情報表示部１４２ａには、社員情報ＴＢＬ４０の内、対象人物の基本情報（識別情報を含む社員情報）が表示される。その表示は、予め定められた所定の基準年についての情報である。図９では、予め定められた所定の基準年として２０１２年が設定されている。基本情報表示部１４２ａには、同時に、当該対象人物の顔写真が顔写真データ部９０から取得されて基本情報表示部１４２ａに表示される。
【００３２】
図９において、履歴情報表示部１４２ｂには、社員履歴ＴＢＬ６０から取得された、選択された対象人物の履歴情報が表示される。具体的には、縦軸には、社員履歴ＴＢＬ６０に記憶されている選択された対象人物に関するプロジェクト、研修、資格、役職、事業所という種別６３の欄が表示される。横軸は年単位で表示される。これは、社員履歴ＴＢＬ６０のデータが基準年毎に格納されていることに対応している。また、予め定められた所定の基準年として２０１２年が設定されているため、横軸中央が２０１２年であり、２０１２年の欄は他の年の欄と異なる背景表示がなされる。種別６３の欄に対応して、各種別に属する履歴名称６４が横方向に時間軸表示（履歴タイムライン表示）される。
【００３３】
プロジェクトの欄では、Ｘ１プロジェクト、Ｘ２プロジェクト、Ｘ３プロジェクトが表示される。Ｘ１プロジェクトでは、Ｘ１プロジェクトの開始年月日（２０１０年１月１日）から終了年月日（２０１１年１２月３１日）に渡って横棒グラフの態様で時間軸表示（履歴タイムライン表示）される。Ｘ２プロジェクトでは、Ｘ２プロジェクトの開始年月日（２０１０年１月１日）から終了年月日（２０１０年１２月３１日）に渡って横棒グラフの態様で時間軸表示（履歴タイムライン表示）される。Ｘ３プロジェクトでは、Ｘ２プロジェクトの開始年月日（２０１２年１月１日）から終了年月日（２０１２年１２月３１日）に渡って横棒グラフの態様で時間軸表示（履歴タイムライン表示）される。同時に、社員履歴ＴＢＬ６０のＸ１プロジェクト、Ｘ２プロジェクト、Ｘ３プロジェクトのアイコンデータ名に対応するアイコン（ｉｃｏｎ１、ｉｃｏｎ２、ｉｃｏｎ３がアイコンデータ部１００から取得されて、それぞれのプロジェクトの時間軸表示に対応して表示される。
研修、資格、役職、事業所という種別６３の欄においても、同様に、横棒グラフの態様での時間軸表示、および、対応アイコンの表示がなされる。
【００３４】
また、履歴情報表示部１４２ｂの縦軸で最も下の部分には、図９に示すように、２０１０年から２０１４年までの各年の表示がされる。この領域は、時間軸（タイムライン）を示す年表示域である。この年表示域をクリック操作することで後述する年表示切替操作が受け付けられる。年表示切替操作に連動して時間軸表示（履歴タイムライン表示）が再表示される。
【００３５】
図９において、組織情報表示部１４２ｃには、組織情報ＴＢＬ８０の情報を元に組織図が表示される。具体的には、部門および部門間の関連を示す情報（線）の表示、部門の構成人員の表示がされる。また、組織図に表示された構成人員が、履歴項目（履歴名称）に関連する人員である場合には、組織図に表示された人員表示の近傍に、関係した履歴名称に対応するアイコンが表示される。すなわち、社員履歴ＴＢＬ６０において、構成人員がメンバ１氏名６９〜メンバ５氏名７３の項目に登録されていた場合、例えば、選択された対象人物が、予め定められた所定の基準年にプロジェクトや研修に参加しており、構成人員も同じプロジェクトや研修に参加していた場合、組織図に表示された人員表示の近傍に、関係した履歴名称に対応するアイコンが表示される。図９の例では、５名の構成人員にＸ３プロジェクトに共に参加したことを示すアイコン（ｉｃｏｎ３）が表示されている。
【００３６】
履歴情報表示部１４２ｂと組織情報表示部１４２ｃとに同じアイコンを表示するのは、履歴情報表示部１４２ｂにおける選択された対象人物のプロジェクトや研修表示と組織図上の人員とを関連付けることにより、それらの関連性を視認化するためである。ここでアイコンは、識別子として作用する。
【００３７】
関連性の視認化の他の例として、組織図上の人員と時間軸表示（履歴タイムライン表示）上のプロジェクトや研修情報表示との関連を、線で結んで表してもよい。すなわち、予め定められた所定の基準年において対象人物が携わったプロジェクト等の表示と組織情報表示部１４２ｃにおける人員とを線で結ぶことにより関連性を視覚的に示す。
図１０は、社員情報照会画面１４２における視認化の他の例を示す。その場合において、後述する年表示切替操作がされた場合、操作された時間軸で経歴タイムラインを再表示すると共に、組織図上の人員と時間軸表示（履歴タイムライン表示）上のプロジェクト等の表示とを再度、線で結ぶ。
【００３８】
また、図９の社員情報照会画面１４２では、２０１２年の欄は他の年の欄と異なる背景表示がなされるが、２０１２年の欄全てを他と異なる背景表示するのに代えて、ＣＰＵ１１は、２０１２年に係っている履歴名称６４に該当する個々の履歴を入力操作の指定に応じて、履歴タイムライン表示上で、例えば赤枠で囲む等して強調表示するとともに、その個々の履歴と、その個々の履歴に関連する組織図上の人材とを関連付けて表示するようにすることもできる。
図１１は、社員情報照会画面１４２における視認化の他の例を示す。
【００３９】
図１２は、図９の社員情報照会画面中の組織図の作図を説明するための図である。
図１２の組織図は、データ基準年が２０１２年である。例えば、事業統括部の表示領域は、作図座標（開始）が（６，４）であり、作図座標（終了）が（９，５）であるので、（６，４）と（９，５）という２つの頂点の組で定められる長方形となる。営業部、開発部、設計部も同様な長方形で表示される。それぞれの部門に所属する人員は、人員表記座標（開始）と人員表記座標（終了）という２つの頂点の組で定められる長方形の領域の中に表示される。また、５名の構成メンバにＸ３プロジェクトに共に参加したことを示すアイコン（ｉｃｏｎ３）が表示される。
【００４０】
次に、ＣＰＵ１１は、社員情報照会画面１４２にて、履歴情報表示部１４２ｂの年表示切替操作があったか否か判定する（ステップＳ１１）。ここで、年表示切替操作は、例えば、マウスなどのポインティングデバイス操作により、履歴情報表示部１４２ｂの最下部の年表示域をクリック操作することにより行われる。
年表示切替操作があった場合（ステップＳ１１；ＹＥＳ）、ステップＳ５に移行し、ステップＳ５からステップＳ１０の処理を順次実行することにより、切替えられた該当年への基本情報表示部１４２ａ、履歴情報表示部１４２ｂおよび組織情報表示部１４２ｃの表示切替処理が行われる。
【００４１】
図９では、社員情報照会画面１４２の基本情報表示部１４２ａが２０１２年を基準年とする情報であり、履歴情報表示部１４２ｂ、組織情報表示部１４２ｃも対応する表示がされているが、例えば、２０１０年への表示切替処理が行われると、ステップＳ５からステップＳ１０の処理が順次実行された結果、図１３に示す社員情報照会画面１４２に表示が切替わる。
【００４２】
図１３は２０１０年への年表示切替操作が行われた場合の社員情報照会画面１４２の表示例を示す図である。
図１４は図１３の社員情報照会画面中の組織図の作図を説明するための図である。
基本情報表示部１４２ａでは、表示がデータ基準年２０１０年の基本情報（識別情報を含む社員情報）に切替わる。履歴情報表示部１４２ｂでは、２０１０年の表示が横軸中央に配置される。また、２０１０年の欄は他の年の欄と異なる背景表示がなされる。組織情報表示部１４２ｃでは、２０１０年の組織図が、図１４に示す要領で作図される。また、２０１０年における履歴タイムライン表示上の履歴項目に関連する組織図上の人物にアイコン表示がなされる。すなわち、２０１０年に活動しているＸ１プロジェクト、Ｘ２プロジェクト、キャリアアップ研修の関連メンバについて組織図上で、アイコン（ｉｃｏｎ４）表示がされる。
【００４３】
このように、履歴情報表示部１４２ｂにおける年表示域の任意の年表示部分をクリック操作して年表示切替操作をすると、時間軸表示（履歴タイムライン表示）が再表示される。ここで、年表示部分のクリック操作に代えて、右矢印、左矢印からなる時間軸操作部（アイコン）を履歴情報表示部１４２ｂに設けることで、年表示切替操作を行ってもよい。また、年表示切り替え操作に連動して、時間軸表示の画面が左右にスクロールしてもよい。また、年表示部分のクリック操作に代えて、再生操作部を設け、自動再生（時間軸表示の画面が左右に連続的にスクロール）するようにしてもよい。
【００４４】
また、社員情報ＴＢＬ４０および組織情報ＴＢＬ８０では所定期間を１年間（基準年）とし、データ基準年毎に基本情報表示部１４２ａと組織情報表示部１４２ｃの情報が格納されているが、所定期間は１年間（基準年）でなくてもよく、半年でも、２年でもよい。その際は、履歴情報表示部１４２ｂの縦軸で最も下の部分には、例えば半年毎の表示がされて、この領域は、時間軸（タイムライン）を示す半年表示域としてもよい。また、所定期間が２年であれば、２年毎表示域としてもよい。そして所定期間の切替操作（所定期間が基準年である場合には、年表示切替操作となる。）に応じて、所定期間における履歴タイムライン表示上の履歴項目と、その履歴項目に関連する組織図上の人物との関連付けが切り替わる。
【００４５】
また、ＣＰＵ１１は、履歴情報表示部１４２ｂにおいて履歴タイムライン表示の時間軸の表示は所定の基準年（２０１２年）であってもそれ以外の年であってもその年表示の幅は等しい幅で表示されているが、年表示の表示幅を異ならせてもよい。
例えば、所定の基準年（年表示切替操作がされた後では切替操作で切替られた基準年）または所定の基準年の近傍の年を含む年の表示部分（表示領域）をメイン表示部、それ以外の表示部分（表示領域）をサブ表示部とし、メイン表示部は年表示を第１の表示幅で表示し、サブ表示部は第１の表示幅よりも狭い第２の表示幅で表示してもよい。また、メイン表示部はリニア表示の、サブ表示部はメイン表示部よりも年表示が狭い対数表示としてもよい。例えば、メイン表示部が例えば１９９９年から２００２年である場合、１９９９年よりも昔の表示部をサブ表示部１と、２００２年よりも未来の表示部をサブ表示部２とし、メイン表示部を等幅表示、サブ表示部１を年が遡るにつれて年表示間隔が短くなる対数表示、サブ表示部２を年が未来に行くほど年表示間隔が短くなる対数軸表示としてもよい。
【００４６】
次に、ＣＰＵ１１は、履歴情報表示部１４２ｂの年表示切替操作がなかった場合（ステップＳ１１；ＮＯ）、ステップＳ１２に移行し、終了ボタン１４２ｄが押下されたか否かを判定する（ステップＳ１２）。
ステップＳ１２にて終了ボタン１４２ｄが押下されなかった場合は、ステップＳ１１に移行し、処理が継続される。ステップＳ１２にて終了ボタン１４２ｄが押下された場合（ステップＳ１２；ＹＥＳ）は、処理を終了する。
【００４７】
以上のように、本実施形態に係る情報処理装置１によれば、人物毎に、当該人物に関する識別情報と、当該人物の履歴情報と、当該人物が所属する組織の組織図を含む組織情報とを対応付けて記憶する記憶手段である記憶部１５を備え、ＣＰＵ１１は、対象となる対象人物の履歴情報を時系列で示す履歴タイムライン表示と、対象人物が所属する組織を示す組織図とを表示し、履歴情報には、各履歴項目に関連する他の人物の識別情報が含まれ、ＣＰＵ１１は、履歴情報に含まれる識別情報に基づいて、履歴タイムライン表示上の履歴項目と、当該履歴項目に関連する組織図上の人物とを関連付けて表示する。
これによれば、社員の履歴情報と組織図上の人員との関連を視覚的に示すことができる。
【００４８】
また、ＣＰＵ１１は、履歴タイムライン表示における所定期間の表示態様を他の期間の表示態様と異ならせるとともに、その所定期間における履歴タイムライン表示上の履歴項目と、その履歴項目に関連する組織図上の人物とを関連付けて表示する。これによれば、関連付けされている所定期間を明確に認識することができる。
【００４９】
前記表示制御手段は、前記所定期間の切替操作に応じて、履歴タイムライン表示上の履歴項目と、その履歴項目に関連する組織図上の人物との関連付けを切り替えて表示する。これによれば、容易に任意の履歴についての関連付けを確認することができる。
【００５０】
また、ＣＰＵ１１は、履歴タイムライン表示の表示における指定された履歴項目を履歴タイムライン上で他の部分と異なる態様で表示させるとともに、指定された履歴項目と、その履歴項目に関連する組織図上の人物とを関連付けて表示する。
これにより、関連付けされているものは、指定された個々の履歴であることを明確に認識することができる。
【００５１】
また、ＣＰＵ１１は、履歴項目と履歴項目に関連する組織図上の人物とに共通する識別子を付加して表示することで関連付けを行うので、関連付けが判りやすい。
これにより、
【００５２】
また、ＣＰＵ１１は、履歴項目と履歴項目に関連する組織図上の人物とを線で結ぶことで関連付けを行うので、関連付けが判りやすい。
【００５３】
また、ＣＰＵ１１は、対象人物を選択するので、選択を確実に行うことができる。
【００５４】
また、上記実施形態においては、人材情報処理装置１をスタンドアロンの装置として説明したが、人材情報処理装置はＬＡＮ、インターネットに接続された複数の装置により構成されることとしてもよい。例えば、人材情報処理装置は、人材選択手段や表示手段等のユーザインターフェースを備える端末と、人材情報データベース３０を備える記憶装置と、表示制御手段を備えるサーバと、により構成されることとしてもよい。
【００５５】
また、本実施形態においては、社員情報照会画面１４２を表示部１４に表示出力する場合を例にとり説明したが、プリンタから印刷出力することとしてもよい。
【００５６】
また、本実施形態において、人材情報処理装置１は、ある会社Ｃ１に所属する社員である人物の人材情報を管理する装置として説明したが、人材情報処理装置１は、この構成に限定されるものではなく、任意の組織、グループに所属する構成員の人材情報を管理する構成としてもよい。このため、「社員」とは、会社に所属する社員に限定されるものではなく、組織、グループに所属する構成員等の人物を含むものとする。
【００５７】
その他、人材情報処理装置１を構成する各装置の細部構成及び細部動作に関しても、発明の趣旨を逸脱することのない範囲で適宜変更可能である。
【００５８】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
人物毎に、当該人物に関する識別情報と、当該人物の履歴情報と、当該人物が所属する組織の組織図を含む組織情報とを対応付けて記憶する記憶手段と、
対象となる対象人物の履歴情報を時系列で示す履歴タイムライン表示と、前記対象人物が所属する組織を示す組織図とを表示する表示制御手段と、を備え、
前記履歴情報には、各履歴項目に関連する他の人物の前記識別情報が含まれ、
前記表示制御手段は、前記履歴情報に含まれる前記識別情報に基づいて、履歴タイムライン表示上の履歴項目と、当該履歴項目に関連する組織図上の人物とを関連付けて表示することを特徴とする情報処理装置。
＜請求項２＞
前記表示制御手段は、履歴タイムライン表示における所定期間の表示態様を他の期間の表示態様と異ならせるとともに、その所定期間における履歴タイムライン表示上の履歴項目と、当該履歴項目に関連する組織図上の人物とを関連付けて表示することを特徴とする請求項１に記載の情報処理装置。
＜請求項３＞
前記表示制御手段は、前記所定期間の切替操作に応じて、履歴タイムライン表示上の履歴項目と、その履歴項目に関連する組織図上の人物との関連付けを切り替えることを特徴とする請求項２に記載の情報処理装置。
＜請求項４＞
前記表示制御手段は、履歴タイムライン表示における指定された履歴項目を履歴タイムライン表示上で他の部分と異なる態様で表示させるとともに、前記指定された履歴項目と、当該履歴項目に関連する組織図上の人物とを関連付けて表示することを特徴とする請求項１に記載の情報処理装置。
＜請求項５＞
前記表示制御手段は、前記履歴項目と前記履歴項目に関連する組織図上の人物とに共通する識別子を付加して表示することで前記関連付けを行うことを特徴とする請求項２〜４の何れか一項に記載の情報処理装置。
＜請求項６＞
前記表示制御手段は、前記履歴項目と前記履歴項目に関連する組織図上の人物とを線で結ぶことで前記関連付けを行うことを特徴とする請求項２〜４の何れか一項に記載の情報処理装置。
＜請求項７＞
前記対象人物を選択する人材選択手段を備えることを特徴とする請求項１〜６の何れか一項記載の情報処理装置。
＜請求項８＞
人物毎に、当該人物に関する識別情報と、当該人物の各履歴項目に関連する他の人物の前記識別情報を含む履歴情報と、当該人物が所属する組織の組織図を含む組織情報とを記憶する記憶手段を備えた情報処理装置のコンピュータを、
対象となる対象人物の履歴情報を時系列で示す履歴タイムライン表示と、対象人物が所属する組織を示す組織図とを表示するとともに、前記履歴情報に含まれる前記識別情報に基づいて、履歴タイムライン表示上の履歴項目と、当該履歴項目に関連する組織図上の人物とを関連付けて表示する表示制御手段、
として機能させるためのプログラム。
【符号の説明】
【００５９】
１      情報処理装置
１１    ＣＰＵ（人材選択手段、表示制御手段）
１２    入力部
１３    ＲＡＭ
１４    表示部（表示手段）
１５    記憶部（記憶手段）
１５０  プログラム記憶部
１５１  処理プログラム
１６    通信部
１９    バス
３０    人材情報データベース
４０    社員情報ＴＢＬ
６０    社員履歴ＴＢＬ
８０    組織情報ＴＢＬ
９０    顔写真データ部
１００  アイコンデータ部
【図１】
2014119855.tif 000003
【図２】
2014119855.tif 000004
【図３】
2014119855.tif 000005
【図４】
2014119855.tif 000006
【図５】
2014119855.tif 000007
【図６】
2014119855.tif 000008
【図７】
2014119855.tif 000009
【図８】
2014119855.tif 000010
【図９】
2014119855.tif 000011
【図１０】
2014119855.tif 000012
【図１１】
2014119855.tif 000013
【図１２】
2014119855.tif 000014
【図１３】
2014119855.tif 000015
【図１４】
2014119855.tif 000016